(57)【要約】【課題】上方は勿論、側方への音の伝播をも、可及的に防止した遮音天井を得る。【解決手段】吊杆１をもって天井スラブより吊支した格子状の支持フレーム２における方形枠部３内に適正に嵌合させることができ、底壁５が多孔板からなるとともに、周縁に支持フレーム２の上面に係止しうる外向係止片６を有する方形の受皿７内に吸音材８を敷設し、かつこの吸音材８の全周を囲う側壁と、吸音材８の上面から離間する上面板９とからなる逆皿状の方形の遮音反射蓋１０を、受皿７に被冠してなる遮音板４を、支持フレーム２における方形枠部３に嵌合する。【選択図】        図２
2004316368.tif 000002
【特許請求の範囲】
【請求項１】
吊杆をもって天井スラブより吊支した格子状の支持フレームにおける方形枠部内に適正に嵌合させることができ、底壁が多孔板からなるとともに、周縁に前記支持フレームの上面に係止しうる外向係止片を有する方形の受皿内に吸音材を敷設し、かつこの吸音材の全周を囲う側壁と、吸音材の上面から離間する上面板とからなる逆皿状の方形の遮音反射蓋を、前記受皿に被冠してなる遮音板を、前記支持フレームにおける方形枠部内に嵌合したことを特徴とする遮音天井。
【請求項２】
遮音反射蓋の側壁の上部を、天井スラブから吊支した格子状の支持フレームの上面の幅方向の中央まで達する張出係止部に形成することにより、隣接する遮音反射蓋の側面同士を実質的に当接させたことを特徴とする請求項１記載の遮音天井。
【請求項３】
遮音反射蓋の上面板を、受皿に対して取外し自在としたことを特徴とする請求項１または２記載の遮音天井。
【発明の詳細な説明】
【０００１】
【発明の属する技術分野】
本発明は、吊杆をもって天井スラブから吊支した支持フレームに遮音板を取付けてなる遮音天井に関する。
【０００２】
【従来の技術】
従来のこの種の遮音天井としては、例えば特許文献１の図１〜図４に示すように、建物の梁等の架構体（３）に、互いに離間させて設けた取付金物（２）（２）を介して、野縁受（１）（１）を取付け、取縁受（１）の対向する水平片（１ａ）（１ａ）上に、上下２枚の面材（１０）（１０）の間の前後縁部および中間部に溝形の野縁（１１）を介在させた天井パネル（９）の側端部を支持させたものがある。
【０００３】
しかして、上記下側の面材（１０）は、石膏ボードとケイカル板と下地を一体化させたものであり、上側の面材（１０）は石膏ボード等で形成されている。
【０００４】
また、例えば特許文献２の図１に示すように、上端を天井材（２）に、下端を床材（７）に密接させたオフィス等の間仕切り用のパーティション（１）の上端と、階上のスラブ（４）とに密着させて、遮音機能を備える垂直の仕切板（３）を配設し、かつ前記天井材（２）の上面に、ロックウールまたはグラスウールからなる防音材（５）を敷設したものもある。
【０００５】
【特許文献１】
特開平６−２４８７４８号公報
【特許文献２】
特開平１０−２２７０８３号公報
【０００６】
【発明が解決しようとする課題】
上記特許文献１に記載されている発明には、次のような問題点がある。
上下の面材（１０）（１０）の間の野縁（１１）が設けられていない側端部は開口しており、この部分で、上下の面材（１０）（１０）の間の空間部（２０）は側方へ開放されているため、室内の音は、この開口部から側方へ逃げる。
【０００７】
特許文献２に記載されている発明においても、天井材（２）の上面の防音材（５）の側面は露出しているため、同様の問題があり、パーティション（１）により仕切られた室同士の間の音の伝達を防止するためには、パーティション（１）の上端と、天井のスラブ（４）との間に遮音性の仕切板（３）を設ける必要がある。
【０００８】
【課題を解決するための手段】
本発明は、上方は勿論、側方への音の伝播をも、可及的に防止した遮音天井を得ることを目的とし、その具体的手段は次の通りである。
（１）吊杆をもって天井スラブより吊支した格子状の支持フレームにおける方形枠部内に適正に嵌合させることができ、底壁が多孔板からなるとともに、周縁に前記支持フレームの上面に係止しうる外向係止片を有する方形の受皿内に吸音材を敷設し、かつこの吸音材の全周を囲う側壁と、吸音材の上面から離間する上面板とからなる逆皿状の方形の遮音反射蓋を、前記受皿に被冠してなる遮音板を、前記支持フレームにおける方形枠部内に嵌合する。
【０００９】
（２）上記（１）項において、遮音反射蓋の側壁の上部を、天井スラブから吊支した格子状の支持フレームの上面の幅方向の中央まで達する張出係止部に形成することにより、隣接する遮音反射蓋の側面同士を実質的に当接させる。
【００１０】
（３）上記（１）項または（２）項において、遮音反射蓋の上面板を、受皿に対して取外し自在とする。
【００１１】
【発明の実施の形態】
図１は、本発明の遮音天井の一実施形態の上方斜視図である。
図示しない天井スラブより複数の吊杆（１）（１）をもって吊支した格子状の支持フレーム（２）における各方形枠部（３）内に、遮音板（４）が適正に嵌合されている。
【００１２】
遮音板（４）は、図２および図３に明示するように、多孔板からなる方形の底壁（５）の側部に水平の外向係止片（６）を設けた受皿（７）内に吸音材（８）を敷設するとともに、吸音材（８）の上面から離隔する上面板（９）と、吸音材（８）の全周を囲う方形の逆皿状の遮音反射蓋（１０）を、前記吸音材（８）に着脱可能に被冠して構成されている。
【００１３】
遮音板（４）は、その外向係止片（６）を支持フレーム（２）の上面に係止することにより、方形枠部（３）内に嵌合保持されている。
【００１４】
室内の音は、多孔性の底壁（５）を通る際に滅殺された後、吸音材（８）により効果的に吸収され、かつその上方の空間によりさらに減殺された後、上面板（９）により、上方および側方への放散は減ぜられるとともに、下方へ反射されて、再度吸音材（８）で吸収される。
【００１５】
従って室内の音が上方および側方へ伝播するのはきわめて効果的に防止される。
【００１６】
そのため、この遮音板（４）を敷きつめた天井においては、側方の部屋との間に、従来のような垂直の遮音壁を設けなくても済ますことができる。
【００１７】
また、防音材（８）が汚染したり劣化した場合には、遮音反射蓋（１０）を取り外して、簡単に清掃もしくは交換することができる。
【００１８】
図４は、本発明の異なる実施形態を示し、遮音反射蓋（１０）の側壁の上部を、支持フレーム（２）の上面の幅方向のほぼ中央まで達する張出係止部（１０ａ）に形成し、隣接する遮音板（４）（４）の張出係止部（１０ａ）（１０ａ）同士が、実質的に当接するようにしてある。
【００１９】
このようにすると、音の側方への伝達はより効果的に防止されることは明らかである。
【００２０】
【発明の効果】
請求項１記載の発明：室内の音は、多孔の底壁と吸音材、およびその上方の空間で減殺された後、遮音板の上面板および側板で吸収かつ反射されて、再び吸音材により吸収され、遮音板の上方および側方への漏洩はきわめて小となる。
【００２１】
請求項２記載の発明：隣接する遮音反射蓋の側面同士が実質的に当接しているので、音の側方への洩れは、効果的に防止される。
【００２２】
請求項３記載の発明：遮音反射蓋を取り外して、受皿内の吸音材を清浄化したり取外したりすることができる。
【図面の簡単な説明】
【図１】本発明の遮音天井の一実施形態を示す上方斜視図である。
【図２】要部の拡大縦断面図である。
【図３】遮音板の分解斜視図である。
【図４】異なる例を示す要部拡大縦断面図である。
【符号の説明】
（１）吊杆
（２）支持フレーム
（３）方形枠部
（４）遮音板
（５）底壁
（６）外向係止片
（７）受皿
（８）吸音材
（９）上面板
（１０）遮音反射蓋
（１０ａ）張出係止部
【図１】
2004316368.tif 000003
【図２】
2004316368.tif 000004
【図３】
2004316368.tif 000005
【図４】
2004316368.tif 000006